【手続補正書】
【提出日】令和2年9月18日(2020.9.18)
【手続補正１】
【補正対象書類名】明細書
【補正対象項目名】０００７
【補正方法】変更
【補正の内容】
【０００７】
上記目的を達成するために、本発明の画像形成装置は、静電潜像が形成される感光ドラムと、前記感光ドラムに現像剤を付着させる現像ローラとを備え、前記感光ドラムに対する前記現像ローラの周速比を所定の周速比に設定して画像を形成する第１の印刷モードによる画像形成と、前記感光ドラムに対する前記現像ローラの周速比を前記所定の周速比よりも大きくして画像を形成する第２の印刷モードによる画像形成とを実行可能な画像形成装置であって、前記第１の印刷モードで形成された画像の濃度を測定した結果を用いて生成される第１の補正データと前記第２の印刷モードで形成された画像の濃度を測定した結果を用いて生成される第２の補正データとの差分である差分データを生成する差分データ生成手段と、前記第１の印刷モードで形成された画像の濃度を測定した結果を用いて、前記第１の印刷モードによる画像形成に用いる第３の補正データを生成する第１の生成手段と、前記第３の補正データ及び前記差分データを用いて、前記第２の印刷モードによる画像形成に用いる第４の補正データを生成する第２の生成手段とを備えることを特徴とする。
【手続補正２】
【補正対象書類名】特許請求の範囲
【補正対象項目名】全文
【補正方法】変更
【補正の内容】
【特許請求の範囲】
【請求項１】
静電潜像が形成される感光ドラムと、前記感光ドラムに現像剤を付着させる現像ローラとを備え、前記感光ドラムに対する前記現像ローラの周速比を所定の周速比に設定して画像を形成する第１の印刷モードによる画像形成と、前記感光ドラムに対する前記現像ローラの周速比を前記所定の周速比よりも大きくして画像を形成する第２の印刷モードによる画像形成とを実行可能な画像形成装置であって、
前記第１の印刷モードで形成された画像の濃度を測定した結果を用いて生成される第１の補正データと前記第２の印刷モードで形成された画像の濃度を測定した結果を用いて生成される第２の補正データとの差分である差分データを生成する差分データ生成手段と、
前記第１の印刷モードで形成された画像の濃度を測定した結果を用いて、前記第１の印刷モードによる画像形成に用いる第３の補正データを生成する第１の生成手段と、
前記第３の補正データ及び前記差分データを用いて、前記第２の印刷モードによる画像形成に用いる第４の補正データを生成する第２の生成手段とを備えることを特徴とする画像形成装置。
【請求項２】
前記第１の生成手段は、前記第３の補正データを色成分毎に生成することを特徴とする請求項１記載の画像形成装置。
【請求項３】
前記第２の生成手段は、前記第４の補正データを色成分毎に生成することを特徴とする請求項１又は２記載の画像形成装置。
【請求項４】
前記差分データ生成手段は、前記差分データを色成分毎に生成することを特徴とする請求項１乃至３のいずれか１項に記載の画像形成装置。
【請求項５】
前記色成分は、シアン、マゼンタ、イエロー、及びブラックであることを特徴とする請求項２乃至４のいずれか１項に記載の画像形成装置。
【請求項６】
印刷枚数が計測され、
前記計測された印刷枚数に基づいて前記第１の補正データの生成及び前記第２の補正データの生成を行うことを特徴とする請求項１乃至５のいずれか１項に記載の画像形成装置。
【請求項７】
前記感光ドラム及び前記現像ローラは、回転駆動され、
前記第２の印刷モードによる画像形成時の前記感光ドラムの回転速度は、前記第１の印刷モードによる画像形成時の前記感光ドラムの回転速度より遅いことを特徴とする請求項１乃至６のいずれか１項に記載の画像形成装置。
【請求項８】
前記感光ドラム上に形成された階調パターンを読み取ってトナー濃度を検出するトナー濃度検出手段を更に備え、
前記トナー濃度検出手段は、前記第１の印刷モードで形成された階調パターンを読み取り、
前記第１の補正データ及び前記第３の補正データは、前記トナー濃度検出手段によって検出されたトナー濃度に基づいて生成されることを特徴とする請求項１乃至７のいずれか１項に記載の画像形成装置。
【請求項９】
前記感光ドラム上に形成された階調パターンを読み取ってトナー濃度を検出するトナー濃度検出手段を更に備え、
前記トナー濃度検出手段は、前記第２の印刷モードで形成された階調パターンを読み取り、
前記第２の補正データは、前記トナー濃度検出手段によって検出されたトナー濃度に基づいて生成されることを特徴とする請求項１乃至７のいずれか１項に記載の画像形成装置。
【請求項１０】
前記計測された印刷枚数に基づいて前記差分データの生成を行うことを特徴とする請求項６記載の画像形成装置。
【請求項１１】
静電潜像が形成される感光ドラムと、前記感光ドラムに現像剤を付着させる現像ローラとを備える画像形成装置の制御方法であって、前記感光ドラムに対する前記現像ローラの周速比を所定の周速比に設定して画像を形成する第１の印刷モードによる画像形成と、前記感光ドラムに対する前記現像ローラの周速比を前記所定の周速比よりも大きくして画像を形成する第２の印刷モードによる画像形成とを実行可能な画像形成装置の制御方法において、
前記第１の印刷モードで形成された画像の濃度を測定した結果を用いて生成される第１の補正データと前記第２の印刷モードで形成された画像の濃度を測定した結果を用いて生成される第２の補正データとの差分である差分データを生成する差分データ生成ステップと、
前記第１の印刷モードで形成された画像の濃度を測定した結果を用いて、前記第１の印刷モードによる画像形成に用いる第３の補正データを生成する第１の生成ステップと、
前記第３の補正データ及び前記差分データを用いて、前記第２の印刷モードによる画像形成に用いる第４の補正データを生成する第２の生成ステップとを有することを特徴とする画像形成装置の制御方法。
【請求項１２】
前記第１の生成ステップは、前記第３の補正データを色成分毎に生成することを特徴とする請求項１１記載の画像形成装置の制御方法。
【請求項１３】
前記第２の生成ステップは、前記第４の補正データを色成分毎に生成することを特徴とする請求項１１又は１２記載の画像形成装置の制御方法。
【請求項１４】
前記色成分は、シアン、マゼンタ、イエロー、及びブラックであることを特徴とする請求項１２又は１３記載の画像形成装置の制御方法。
【請求項１５】
前記感光ドラム上に形成された階調パターンを前記画像形成装置のトナー濃度検出手段によって読み取ってトナー濃度を検出するトナー濃度検出ステップを更に有し、
前記トナー濃度検出ステップは、前記第１の印刷モードで形成された階調パターンを前記トナー濃度検出手段によって読み取り、
前記第１の補正データ及び前記第３の補正データは、前記トナー濃度検出ステップにて検出されたトナー濃度に基づいて生成されることを特徴とする請求項１１乃至１４のいずれか１項に記載の画像形成装置の制御方法。
【請求項１６】
前記感光ドラム上に形成された階調パターンを前記画像形成装置のトナー濃度検出手段によって読み取ってトナー濃度を検出するトナー濃度検出ステップを更に有し、
前記トナー濃度検出ステップは、前記第２の印刷モードで形成された階調パターンを前記トナー濃度検出手段によって読み取り、
前記第２の補正データは、前記トナー濃度検出ステップにて検出されたトナー濃度に基づいて生成されることを特徴とする請求項１１乃至１４のいずれか１項に記載の画像形成装置の制御方法。
【請求項１７】
印刷枚数が計測され、
前記計測された印刷枚数に基づいて前記差分データの生成を行うことを特徴とする請求項１１乃至１６のいずれか１項に記載の画像形成装置の制御方法。
【請求項１８】
静電潜像が形成される感光ドラムと、前記感光ドラムに現像剤を付着させる現像ローラとを備える画像形成装置の制御方法をコンピュータに実行させるプログラムであって、前記感光ドラムに対する前記現像ローラの周速比を所定の周速比に設定して画像を形成する第１の印刷モードによる画像形成と、前記感光ドラムに対する前記現像ローラの周速比を前記所定の周速比よりも大きくして画像を形成する第２の印刷モードによる画像形成とを実行可能な画像形成装置の制御方法をコンピュータに実行させるプログラムにおいて、
前記画像形成装置の制御方法は、
前記第１の印刷モードで形成された画像の濃度を測定した結果を用いて生成される第１の補正データと前記第２の印刷モードで形成された画像の濃度を測定した結果を用いて生成される第２の補正データとの差分である差分データを生成する差分データ生成ステップと、
前記第１の印刷モードで形成された画像の濃度を測定した結果を用いて、前記第１の印刷モードによる画像形成に用いる第３の補正データを生成する第１の生成ステップと、
前記第３の補正データ及び前記差分データを用いて、前記第２の印刷モードによる画像形成に用いる第４の補正データを生成する第２の生成ステップとを有することを特徴とするプログラム。